(57)【要約】【課題】修飾先の候補を２以上有する形態素を含む文について、当該形態素の修飾先の候補を１つに特定するように当該文を校正する文校正プログラム及び文校正装置を提供する。【解決手段】文校正装置１は、対象とする文に含まれる形態素を解析する形態素解析手段１０Ｂと、形態素のうち修飾先の候補を２以上有する形態素である曖昧形態素を検出する曖昧性検出手段１０Ｃと、文に対する形態素若しくは形態素の列の挿入、又は曖昧形態素若しくは曖昧形態素を含む形態素の列の言い換え若しくは削除のいずれかの方法によって曖昧な形態素の修飾先の候補が１つとなるように文を校正する文校正手段１０Ｄとを有する。【選択図】図１
2011118815.tif 000002
【特許請求の範囲】
【請求項１】
コンピュータを、
対象とする文に含まれる形態素を解析する解析手段と、
前記形態素のうち修飾先の候補を２以上有する形態素である曖昧形態素を検出する検出手段と、
前記文に対する形態素若しくは形態素の列の挿入、又は前記曖昧形態素若しくは前記曖昧形態素を含む形態素の列の言い換え若しくは削除のいずれかの方法によって、前記曖昧形態素の修飾先の候補が１つとなるように前記文を校正する文校正手段として機能させるための文校正プログラム。
【請求項２】
前記検出手段は、前記文に含まれる形態素より後に出現する動詞の数と、当該形態素の直前の格助詞と同一であって当該形態素より後に出現する格助詞の数とを比較して、前記動詞の数の方が多い場合に、当該形態素を前記曖昧形態素として検出する請求項１に記載の文校正プログラム。
【請求項３】
前記文以外の他の文における前記曖昧形態素又は前記曖昧形態素を含む形態素の列の出現頻度に基づいて、前記文校正手段が実行する前記方法の順位付けを行う順位付与手段として前記コンピュータをさらに機能させ、
前記文校正手段は、前記方法を前記順位に基づいて配置して表示し、表示した前記方法のうち選択された内容に応じて前記文を校正する
請求項１又は２に記載の文校正プログラム。
【請求項４】
前記曖昧形態素又は前記曖昧形態素を含む形態素の列を、前記文が属する文章の他の文において検出し、検出された当該曖昧形態素又は当該曖昧形態素を含む形態素の列を、前記文校正手段が用いた前記方法と同様の方法によって当該他の文を校正するよう前記文校正手段に要求することで、用語を統一する用語統一手段として前記コンピュータをさらに機能させるための請求項１から３のいずれか一項に記載の文校正プログラム。
【請求項５】
対象とする文に含まれる形態素を解析する解析手段と、
前記形態素のうち修飾先の候補を２以上有する形態素である曖昧形態素を検出する検出手段と、
前記文に対する形態素若しくは形態素の列の挿入、又は前記曖昧形態素若しくは前記曖昧形態素を含む形態素の列の言い換え若しくは削除のいずれかの方法によって、前記曖昧形態素の修飾先の候補が１つとなるように前記文を校正する文校正手段とを有する文校正装置。
【発明の詳細な説明】
【技術分野】
【０００１】
本発明は、文校正プログラム及び文校正装置に関する。
【背景技術】
【０００２】
日本語の文における形態素の品詞を適切に特定する技術が提案されている。
【０００３】
これに関連する技術として、特許文献１には、一連の形態素を含む形態素解析結果から、品詞に関して第１の条件を満たす特定の形態素を検出する工程と、特定の形態素の品詞を判定するためのルール・データが格納されている判定用データ格納部を参照し、特定の形態素と当該特定の形態素の近傍の形態素との少なくともいずれかに基づき、特定の形態素が動詞又は名詞のいずれであるか判定する工程と、特定の形態素の品詞について形態素解析結果と判定の結果が相違する場合、特定の形態素の品詞を判定の結果に係る品詞に修正する工程とを実行し、自動的に適切な品詞を特定する技術が開示されている。
【先行技術文献】
【特許文献】
【０００４】
【特許文献１】特開２００６−２５２０９１号公報
【発明の概要】
【発明が解決しようとする課題】
【０００５】
本発明の目的は、修飾先の候補を２以上有する形態素を含む文について、当該形態素の修飾先の候補を１つに特定するように当該文を校正する文校正プログラム及び文校正装置を提供することにある。
【課題を解決するための手段】
【０００６】
［１］コンピュータを、対象とする文に含まれる形態素を解析する解析手段と、前記形態素のうち修飾先の候補を２以上有する形態素である曖昧形態素を検出する検出手段と、前記文に対する形態素若しくは形態素の列の挿入、又は前記曖昧形態素若しくは前記曖昧形態素を含む形態素の列の言い換え若しくは削除のいずれかの方法によって、前記曖昧形態素の修飾先の候補が１つとなるように前記文を校正する文校正手段として機能させるための文校正プログラム。
【０００７】
［２］前記検出手段は、前記文に含まれる形態素より後に出現する動詞の数と、当該形態素の直前の格助詞と同一であって当該形態素より後に出現する格助詞の数とを比較して、前記動詞の数の方が多い場合に、当該形態素を前記曖昧形態素として検出する前記［１］に記載の文校正プログラム。
【０００８】
［３］前記文以外の他の文における前記曖昧形態素又は前記曖昧形態素を含む形態素の列の出現頻度に基づいて、前記文校正手段が実行する前記方法の順位付けを行う順位付与手段として前記コンピュータをさらに機能させ、前記文校正手段は、前記方法を前記順位に基づいて配置して表示し、表示された前記方法から選択された内容に応じて前記文を校正する前記［１］又は［２］に記載の文校正プログラム。
【０００９】
［４］前記曖昧形態素又は前記曖昧形態素を含む形態素の列を、前記文が属する文章の他の文において検出し、前記文校正手段が用いた前記方法と同様の方法によって当該他の文を前記文校正手段に校正させ、用語を統一する用語統一手段として前記コンピュータをさらに機能させるための前記［１］から［３］のいずれか一項に記載の文校正プログラム。
【００１０】
［５］対象とする文に含まれる形態素を解析する解析手段と、前記形態素のうち修飾先の候補を２以上有する形態素である曖昧形態素を検出する検出手段と、前記文に対する形態素若しくは形態素の列の挿入、又は前記曖昧形態素若しくは前記曖昧形態素を含む形態素の列の言い換え若しくは削除のいずれかの方法によって、前記曖昧形態素の修飾先の候補が１つとなるように前記文を校正する文校正手段とを有する文校正装置。
【発明の効果】
【００１１】
請求項１又は５に係る発明によれば、修飾先の候補を２以上有する形態素を含む文について、当該形態素の修飾先の候補を１つに特定するように当該文を校正することができる。
【００１２】
請求項２に係る発明によれば、文に含まれる形態素より後に出現する動詞の数と、当該形態素の直前の格助詞と同一であって当該形態素より後に出現する格助詞の数とを比較して、前記動詞の数の方が多い場合について、当該形態素について修飾先の候補を１つに特定することができる。
【００１３】
請求項３に係る発明によれば、順位付けして提示された文を校正する方法の中から文を校正する方法を選択することができる。
【００１４】
請求項４に係る発明によれば、校正した文と他の文とにおける用語の統一を行うことができる。
【図面の簡単な説明】
【００１５】
【図１】本発明の実施の形態に係る文校正装置の構成例を示す概略図である。
【図２】文書情報の構成例を示す概略図である。
【図３】形態素解析結果の構成例を示す概略図である。
【図４】校正文書情報の構成例を示す概略図である。
【図５】校正文書情報の他の構成例を示す概略図である。
【図６】校正文書情報の他の構成例を示す概略図である。
【図７】文校正装置の動作例を示すフローチャートである。
【図８】曖昧性検出手段の動作例を示すフローチャートである。
【発明を実施するための形態】
【００１６】
（情報検索システムの構成）
図１は、本発明の実施の形態に係る文校正装置の構成例を示す概略図である。
【００１７】
この文校正装置１は、ＣＰＵ（Ｃｅｎｔｒａｌ  Ｐｒｏｃｅｓｓｉｎｇ  Ｕｎｉｔ）等から構成され各部を制御するとともに各種のプログラムを実行する制御部１０と、ＨＤＤ（Ｈａｒｄ  Ｄｉｓｋ  Ｄｒｉｖｅ）やフラッシュメモリ等の記憶媒体から構成され情報を記憶する記憶部１１と、文や図形等を表示する液晶ディスプレイ等の表示部１２と、操作入力用のキーボードやマウス等の操作部１３とを有する。なお、文校正装置１は、例えば、パーソナルコンピュータやＰＤＡ（Ｐｅｒｓｏｎａｌ  Ｄｉｇｉｔａｌ  Ａｓｓｉｓｔａｎｔ）、携帯電話機等でもよい。
【００１８】
制御部１０は、後述する文校正プログラム１１Ａを実行することで、文取得手段１０Ａ、形態素解析手段１０Ｂ、曖昧性検出手段１０Ｃ、文校正手段１０Ｄ、校正候補順位付与手段１０Ｅ、校正候補選択手段１０Ｆ、用語統一性確保手段１０Ｇ等として機能する。
【００１９】
文取得手段１０Ａは、校正対象としての文を文書情報１１Ｂに含まれる文から取得する。
【００２０】
形態素解析手段１０Ｂは、文取得手段１０Ａが取得した文を形態素解析する。形態素解析では、文を形態素（言語で意味を持つ最小単位）に分け、それぞれの形態素の品詞を判別する作業を行う。形態素解析には、例えば、JUMAN、茶筌、MeCab等を用いる。
【００２１】
曖昧性検出手段１０Ｃは、形態素解析手段１０Ｂが解析した形態素のうち、品詞の候補が２以上あるものに曖昧性があるとして検出する。
【００２２】
文校正手段１０Ｄは、曖昧性検出手段１０Ｃが検出した形態素又はその形態素を含む形態素の列を後述する挿入、言い換え、削除等の方法を用いて校正し、形態の曖昧性を除去する。ここで、「形態素の列」とは、連続する複数の形態素のことをいう。
【００２３】
校正候補順位付与手段１０Ｅは、文校正手段１０Ｄが用いることができる方法を候補として挙げ、他の文において曖昧性が存在する形態素又は形態素の列の代替として候補に対応する形態素又は形態素の列が用いられている頻度に応じて、その候補に対して順位を付与する。
【００２４】
校正候補選択手段１０Ｆは、校正候補順位付与手段１０Ｅが順位付けした候補から操作部１３に入力された内容に応じて候補を選択する。
【００２５】
用語統一性確保手段１０Ｇは、校正対象の文を含む文章の他の文に対して、曖昧性検出手段１０Ｃが検出した形態素又はその形態素を含む形態素の列の検出を実行し、文校正手段１０Ｄが校正対象の文に対して実行した方法と同様の方法を文校正手段１０Ｄに実行させ、校正対象の文だけにとどまらず、他の文に対して校正をすることで文章中の用語の統一性を確保する。
【００２６】
記憶部１１は、制御部１０を上述した各手段として動作させる文校正プログラム１１Ａと、１つ又は２以上の文で構成される文章を情報中に含む文書情報１１Ｂと、文校正手段１０Ｄによって文書情報１１Ｂを校正した校正文書情報１１Ｃ等を記憶する。
【００２７】
文書情報１１Ｂ及び校正文書情報１１Ｃは、例えば、ワープロ、表計算ソフト等のソフトで作成されたファイルや、ＨＴＭＬ文書等である。以上に挙げたファイル中には１つ又は２以上の文から構成される文章が含まれているものとする。
【００２８】
（文校正装置の動作）
以下に、文校正装置１の動作を図１〜８を参照しつつ、（１）基本動作、（２）曖昧性検出動作、（３）校正動作に分けて説明する。
【００２９】
（１）基本動作
図７は、文校正装置１の動作例を示すフローチャートである。
【００３０】
まず、文校正装置１の文取得手段１０Ａは、記憶部１１から文書情報１１Ｂを取得し、その文書情報１１Ｂから１つの文を取得する（Ｓ１１）。なお、取得する文は、文校正装置１を操作する利用者が指定してもよいし、記憶部１１に格納されるすべての文書情報１１Ｂが有するすべての文を順次取得する構成としてもよい。
【００３１】
図２は、文取得手段１０Ａが文書情報１１Ｂから取得した文の一例を示す概略図である。
【００３２】
文書情報１１Ｂから取得した文１１０Ｂが「選択された選択文字列を畳み込み文字列として記憶する手段を備える。」という文で構成されるとする。ここで、形態素「畳み込み」が形態素「文字列」に係るのか、文節「記憶する」に係るのかが問題となるが、問題点の詳細については後述する。なお、ここで「文節」とは、自立語の出現の度に文を区切るという操作によって切り取られた単位をいう。
【００３３】
次に、形態素解析手段１０Ｂは、文取得手段１０Ａが取得した文１１０Ｂを形態素解析し、形態素解析結果を出力する（Ｓ１２）。
【００３４】
図３は、その形態素解析結果の一例を示す概略図である。
【００３５】
形態素解析結果１００Ｂは、形態素解析手段１０Ｂによって文１１０Ｂを形態素解析して得られた結果である。文校正手段１０Ｄは、分割された形態素を示す形態素欄１００ｂと、形態素の読み仮名を示す読み仮名欄１０１ｂと、形態素の基本形を示す基本形欄１０２ｂと、形態素の品詞を示す品詞欄１０３ｂと、形態素の活用型を示す活用型欄１０４ｂと、形態素の活用形を示す活用形欄１０５ｂとを有する。
【００３６】
次に、曖昧性検出手段１０Ｃは、形態素解析結果１００Ｂに基づき他の形態素との修飾関係に曖昧性を有する形態素を検出する（Ｓ１３）。
【００３７】
ここで、曖昧性検出（Ｓ１３）の詳細を図８を用いて説明する。
【００３８】
（２）曖昧性検出動作
図８は、曖昧性検出手段１０Ｃの動作例を示すフローチャートである。
【００３９】
まず、曖昧性検出手段１０Ｃは、形態素解析結果１００Ｂから（動詞連用形）＋（名詞）の連続する形態素の組である「畳み込み」＋「文字」を検出する（Ｓ２１）。
【００４０】
次に、曖昧性検出手段１０Ｃは、検出された形態素の組「畳み込み」＋「文字」の直後から文末の間の動詞の数ＶＮをカウントする（Ｓ２２）。形態素解析結果１００Ｂにおいては、「する」と「備える」がカウントされ、ＶＮ＝２となる。
【００４１】
次に、曖昧性検出手段１０Ｃは、検出された形態素の組「畳み込み」＋「文字」の直前の格助詞、つまり「を」と同一の格助詞を、検出箇所の直後から文末の間においてカウントする（Ｓ２３）。形態素解析結果１００Ｂにおいては、ＣＮ＝１となる。
【００４２】
次に、曖昧性検出手段１０Ｃは、ＶＮとＣＮとを比較し、形態素解析結果１００ＢにおいてはＶＮ＞ＣＮとなるため（Ｓ２４）、他の形態素との修飾関係に曖昧性ありと判断する（Ｓ２５）。また、ＶＮ＝ＣＮである場合は（Ｓ２４）、曖昧性なしと判断する（Ｓ２６）。
【００４３】
（３）校正動作
以上に説明したように曖昧性検出手段１０Ｃが曖昧性を検出した後、図７に示すように、文校正手段１０Ｄは、校正候補を出力する（Ｓ１４）。
【００４４】
文校正手段１０Ｄの出力する校正候補として（３−１）挿入、（３−２）言い換え及び（３−３）削除による方法を用いた場合について説明する。
【００４５】
（３−１）挿入
図４（ａ）〜（ｆ）は、挿入による校正候補を適用した後の校正文書情報１１Ｃの一例を示す概略図である。
【００４６】
図４（ａ）に示す校正文１１０Ｃは、文校正手段１０Ｄによって文１１０Ｂに対して形態素又は形態素の列を挿入する校正により得られた結果である。文校正手段１０Ｄは、動詞連用形の「畳み込み」の前に名詞である校正部分１１０ｃ「前記」を挿入し、動詞連用形の「畳み込み」を名詞「文字列」とともに挟みこんで、「畳み込み」を動詞連用形の名詞的用法に限定して校正する。なお、校正部分１１０ｃに挿入する形態素又は形態素の列としては、名詞「当該」、「本」や指示詞「その」、「この」、「あの」等を用いることができ、これらは予め辞書として記憶部に格納しておく（図示せず）。また、挿入するこれらの形態素又は形態素の列は、動詞連用形が文章中で初めて現れる場合は用いない。
【００４７】
図４（ｂ）に示す校正文１１１Ｃは、文校正手段１０Ｄによって文１１０Ｂに対して形態素又は形態素の列を挿入する校正により得られた結果である。文校正手段１０Ｄは、動詞連用形の「畳み込み」の後に校正部分１１１ｃ「それを」を挿入し、「選択文字列を」の係り先を「畳み込み」にすることで、「畳み込み」を動詞連用形の動詞的用法に限定して校正する。なお、「それを」は、「畳み込み」の直前の格助詞が「を」であることから定まり、挿入する形態素又は形態素の列は予め辞書として記憶部に格納しておく。
【００４８】
図４（ｃ）に示す校正文１１２Ｃは、文校正手段１０Ｄによって文１１０Ｂに対して形態素又は形態素の列を挿入する校正により得られた結果である。文校正手段１０Ｄは、動詞連用形の「畳み込み」の後に校正部分１１２ｃ「すばやく」を挿入し、「選択文字列を」の係り先を「畳み込み」にすることで、「畳み込み」を動詞連用形の動詞的用法に限定して校正する。なお、「すばやく」は、名詞による修飾を受けない語で始まる形態素又は形態素の列であり、動詞連用形の直後の名詞列の主辞か、動詞連用形の係り先の動詞に係るという条件を満たす形態素又は形態素の列である。
【００４９】
図４（ｄ）に示す校正文１１３Ｃは、文校正手段１０Ｄによって文１１０Ｂに対して形態素又は形態素の列を挿入する校正により得られた結果である。文校正手段１０Ｄは、動詞連用形の「畳み込み」の後に校正部分１１３ｃ「とても美しい」を挿入し、「選択文字列を」の係り先を「畳み込み」にすることで、「畳み込み」を動詞連用形の動詞的用法に限定して校正する。なお、「とても美しい」は、図４（ｃ）において説明した条件を満たす語である。
【００５０】
図４（ｅ）に示す校正文１１４Ｃは、文校正手段１０Ｄによって文１１０Ｂに対して形態素又は形態素の列を挿入する校正により得られた結果である。文校正手段１０Ｄは、動詞連用形の「畳み込み」の後に校正部分１１４ｃ「そこに」を挿入し、「選択文字列を」の係り先を「畳み込み」にすることで、「畳み込み」を動詞連用形の動詞的用法に限定して校正する。なお、「そこに」は、図４（ｃ）において説明した条件を満たす語である。
【００５１】
図４（ｆ）に示す校正文１１５Ｃは、文校正手段１０Ｄによって文１１０Ｂに対して品詞の候補を挿入する校正により得られた結果である。文校正手段１０Ｄは、動詞連用形の「畳み込み」の前に校正部分１１５ｃ「（名詞または指示語）」を挿入し、動詞連用形の「畳み込み」を名詞「文字列」とともに挟みこんで、「畳み込み」を動詞連用形の名詞的用法に限定して校正する。実際には、挿入された品詞を参照しながら利用者が校正部分１１５ｃ所望の形態素又は形態素の列を入力する。なお、挿入する形態素の品詞としては、図４（ａ）において説明した条件に基づいて表示しているが、図４（ｂ）〜（ｅ）において説明した条件に基づいて表示してもよい。
【００５２】
（３−２）言い換え
図５（ａ）及び（ｂ）は、言い換えによる校正候補を適用した後の校正文書情報１１Ｃの他の一例を示す概略図である。
【００５３】
図５（ａ）に示す校正文１１６Ｃは、文校正手段１０Ｄによって文１１０Ｂを校正して得られた結果である。文校正手段１０Ｄは、動詞連用形の「畳み込み」の送り仮名を除去して校正部分１１６ｃ「畳込」に言い換えて、「畳込」を動詞連用形の名詞的用法に限定して校正する。なお、校正部分１１６ｃで言い換える形態素又は形態素の列としては、同一の意味を持つ他の言語「convolution」やそのカタカナ表記「コンボリューション」、又類似語等を用いることができ、これらは予め辞書として記憶部に格納しておく（図示せず）。また、複合語「畳み込み文字列」全体と同一の意味を持つ他の言語等が存在する場合は、全体を言い換えてもよい。また、「畳み込み」から「畳込」の変換は、辞書を用いずに送り仮名を除去する処理を行ってもよい。
【００５４】
図５（ｂ）に示す校正文１１７Ｃは、文校正手段１０Ｄによって文１１０Ｂを校正して得られた結果である。文校正手段１０Ｄは、動詞連用形の「畳み込み」を校正部分１１７ｃ「畳み込んで」に言い換えて、「選択文字列を」の係り先を「畳み込んで」にすることで、「畳み込んで」を動詞連用形の動詞的用法に限定して校正する。なお、「畳み込んで」という形式への言い換えは、形態素解析システムごとに定められた形式に基づいて変更される。例えば、形態素解析システムＪＵＭＡＮの品詞体系においてはタ形連用テ形と呼ばれる形式であり、形態素解析システム茶筌の品詞体系においては、「畳み込ん」（動詞連用形タ接続）＋「で」（接続助詞）のような形態素の連続からなる形式である。
【００５５】
（３−３）削除
図６（ａ）〜（ｃ）は、削除による校正候補を適用した後の校正文書情報１１Ｃの他の構成例を示す概略図である。
【００５６】
図６（ａ）に示す校正文１１８Ｃは、文校正手段１０Ｄによって文１１０Ｂを校正して得られた結果である。文校正手段１０Ｄは、動詞連用形の「畳み込み」を除去して校正部分１１８ｃとして校正する。これは、削除された「畳み込み」を動詞連用形の名詞的用法であったと仮定した場合である。
【００５７】
図６（ｂ）に示す校正文１１９Ｃは、文校正手段１０Ｄによって文１１０Ｂを校正して得られた結果である。文校正手段１０Ｄは、動詞連用形の「畳み込み」を含む文節「畳み込み文字列として」を除去して校正部分１１９ｃとして校正する。これは、削除前の「畳み込み」を動詞連用形の名詞的用法であったと仮定した場合である。
【００５８】
図６（ｃ）に示す校正文１２０Ｃは、文校正手段１０Ｄによって文１１０Ｂを校正して得られた結果である。文校正手段１０Ｄは、動詞連用形の「畳み込み」に続く「文字列」を除去して校正部分１２０ｃとし、「畳み込み」を動詞連用形の動詞的用法に限定して校正する。ただし、この場合、「を畳み込み記憶」の箇所が「を」（格助詞）＋「畳み込み」（動詞連用形）＋「記憶」（名詞）のパターンが新たに発生し、新たな曖昧性が発生する。そのため、このような削除を行わないか、再度文校正手段１０Ｄによって曖昧性の除去を実行する。
【００５９】
以上に説明したように、文校正手段１０Ｄは、校正候補を出力する。
【００６０】
次に、校正候補順位付与手段１０Ｅは、ステップＳ１４において文校正手段１０Ｄによって出力された校正候補に順位付けを行う（Ｓ１５）。校正候補の順位付けは、校正対象となる形態素又は形態素の列、ここでは「畳み込み文字列」が用いられた他の文書において校正された結果の履歴から統計を出す等して求められる。また、「畳み込み文字列」と用法が似ている形態素又は形態素の列等の履歴を用いてもよい。また、予め定められた順位に応じて順位付けするものであってもよい。順位付けされた校正候補は、その順位に基づいて並べ替えられて表示される。
【００６１】
次に、校正候補選択手段１０Ｆは、利用者が操作部に入力した内容に応じて表示された校正候補から利用者が所望する校正内容を選択して文１１０Ｂを校正し（Ｓ１６）、校正文１１０Ｃ〜１２０Ｃのうち選択された校正文を校正文書情報１１Ｃの格納領域に格納して保存する（Ｓ１７）。
【００６２】
［他の実施の形態］
なお、本発明は、上記実施の形態に限定されず、本発明の要旨を逸脱しない範囲で種々な変形が可能である。例えば、用語統一性確保手段１０Ｇは、校正の対象とした文において校正された形態素又は形態素の列が、その文の属する文書の他の文において用いられている場合、他の文において曖昧性を有していない場合であっても同様の校正候補を用いて校正してもよい。この動作により文書に含まれる文章の用語が統一される。
【００６３】
また、上記実施の形態で使用される文取得手段１０Ａ、形態素解析手段１０Ｂ、曖昧性検出手段１０Ｃ、文校正手段１０Ｄ、校正候補順位付与手段１０Ｅ、校正候補選択手段１０Ｆ、用語統一性確保手段１０Ｇは、ＣＤ−ＲＯＭ等の記憶媒体から装置内の記憶部に読み込んでも良く、インターネット等のネットワークに接続されているサーバ装置等から装置内の記憶部にダウンロードしてもよい。また、上記実施の形態で使用される手段の一部または全部をＡＳＩＣ等のハードウェアによって実現してもよい。
【符号の説明】
【００６４】
１…文校正装置、１０…制御部、１０Ａ…文取得手段、１０Ｂ…形態素解析手段、１０Ｃ…曖昧性検出手段、１０Ｄ…文校正手段、１０Ｅ…校正候補順位付与手段、１０Ｆ…校正候補選択手段、１０Ｇ…用語統一性確保手段、１１…記憶部、１１Ａ…文校正プログラム、１１Ｂ…文書情報、１１Ｃ…校正文書情報、１２…表示部、１３…操作部、１００Ｂ…形態素解析結果、１００ｂ…形態素欄、１０１ｂ…仮名欄、１０２ｂ…基本形欄、１０３ｂ…品詞欄、１０４ｂ…活用型欄、１０５ｂ…活用形欄、１１０Ｂ…文、１１０Ｃ−１２０Ｃ…校正文、１１０ｃ−１２０ｃ…校正部分
【図１】
2011118815.tif 000003
【図２】
2011118815.tif 000004
【図３】
2011118815.tif 000005
【図４】
2011118815.tif 000006
【図５】
2011118815.tif 000007
【図６】
2011118815.tif 000008
【図７】
2011118815.tif 000009
【図８】
2011118815.tif 000010